(57)【要約】【課題】配電用自動電圧調整器（ＳＶＲ）で電力が逆潮流している原因が系統切換にあるのか、二次側に分散電源が連系したことにあるのかを判定する方法を提供する。【解決手段】タップ切換過程の開始後２０ｍｓ毎にＳＶＲ２の一次側電圧変化量と二次側電圧変化量とを求め、３００ｍｓの移動積算期間の間に求められた一次側電圧変化量及び二次側電圧変化量を積算する。各積算期間で演算された一次側電圧変化量の積算値から二次側電圧変化量の積算値を減じて電圧変化量差を演算し、演算された電圧変化量差の中から絶対値が最大になる電圧変化量差を最大電圧変化量差として抽出する。最大電圧変化量差の符号が正であるときに電力の逆潮流の原因が二次側で行われた系統切換にあると判定し、最大電圧変化量差の符号が負であるときに電力の逆潮流の原因が分散電源の連系にあると判定する。【選択図】    図２
2013192378.tif 000002
【特許請求の範囲】
【請求項１】
配電系統に設置された負荷時タップ切換式の配電用自動電圧調整器で二次側から一次側に電力の逆潮流が生じたときに、該電力の逆潮流の原因を判定する配電用自動電圧調整器の電力逆潮流原因判定方法において、
前記配電用自動電圧調整器で電力の逆潮流が検出されたときに、該自動電圧調整器がタップ切換を行う期間を含むように設定した一定の計測期間の間、該自動電圧調整器の一次側電圧及び二次側電圧を一定の周期で発生する検出タイミングで検出し、
各検出タイミングから次の検出タイミングまでの期間を単位期間として、各単位期間の間に生じた前記一次側電圧の変化量の絶対値を各単位期間で生じた一次側電圧変化量として演算し、各単位期間の間に生じた前記二次側電圧の変化量の絶対値を各単位期間で生じた二次側電圧変化量として演算する電圧変化量演算処理と、
各単位期間と各単位期間に続いて現れるｐ−１個（ｐは２以上の整数）の単位期間とを含む連続するｐ個の単位期間からなる期間を積算期間として、各積算期間に含まれるｐ個の単位期間でそれぞれ生じたｐ個の一次側電圧変化量を積算し、各積算期間に含まれるｐ個の単位期間でそれぞれ生じたｐ個の二次側電圧変化量を積算する電圧変化量積算処理と、
各積算期間で積算された一次側電圧変化量の積算値と二次側電圧変化量の積算値との差を電圧変化量差として演算して記憶する電圧変化量差演算処理と、
前記計測期間の間に記憶された一連の電圧変化量差の中から絶対値が最大の値をとる電圧変化量差を最大電圧変化量差として抽出する最大電圧変化量差抽出処理と、
抽出された最大電圧変化量差の演算に用いられた一次側電圧変化量の積算値が前記最大電圧変化量差の演算に用いられた二次側電圧変化量の積算値よりも大きいときに前記自動電圧調整器の一次側が系統の電源から切り離されて二次側が他の系統の電源に接続されたことに起因して前記電力の逆潮流が生じたと判定し、前記最大電圧変化量差の演算に用いられた一次側電圧変化量の積算値が前記最大電圧変化量差の演算に用いられた二次側電圧変化量の積算値よりも小さいときに前記自動電圧調整器の一次側が系統の電源に接続された状態で二次側に分散電源が連系したことに起因して前記電力の逆潮流が生じたと判定する判定処理と、
を行うことを特徴とする配電用自動電圧調整器の逆潮流原因判定方法。
【請求項２】
前記電圧変化量演算処理では、各単位期間の始点となる検出タイミング及び終点となる検出タイミングでそれぞれ検出された前記一次側電圧の検出値の差の絶対値を各単位期間の間に生じた一次側電圧変化量として演算し、各単位期間の始点となる検出タイミング及び終点となる検出タイミングでそれぞれ検出された前記二次側電圧の検出値の差の絶対値を各単位期間の間に生じた二次側電圧変化量として演算することを特徴とする請求項１に記載の配電用自動電圧調整器の逆潮流原因判定方法。
【請求項３】
前記判定処理では、前記最大電圧変化量差の符号から前記最大電圧変化量差の演算に用いられた一次側電圧変化量及び二次側電圧変化量の大小を判別することを特徴とする請求項１又は２に記載の配電用自動電圧調整器の逆潮流原因判定方法。
【請求項４】
配電系統に設置された負荷時タップ切換式の配電用自動電圧調整器で二次側から一次側に電力の逆潮流が生じたときに、該電力の逆潮流の原因を判定する配電用自動電圧調整器の電力逆潮流原因判定装置において、
前記配電用自動電圧調整器で電力の逆潮流が検出されたときに、前記自動電圧調整器がタップ切換を行う期間を含むように設定した一定の計測期間の間前記自動電圧調整器の一次側電圧及び二次側電圧をそれぞれ一定周期で発生する検出タイミングで検出する電圧検出装置と、
各検出タイミングから次の検出タイミングまでの期間を単位期間として、各単位期間の間に生じた前記一次側電圧の変化量の絶対値を各単位期間で生じた一次側電圧変化量として演算し、各単位期間の間に生じた前記二次側電圧の変化量の絶対値を各単位期間で生じた二次側電圧変化量として演算する電圧変化量演算手段と、
各単位期間と各単位期間に続いて現れるｐ−１個（ｐは２以上の整数）の単位期間とを含む連続するｐ個の単位期間からなる期間を積算期間として、各積算期間に含まれるｐ個の単位期間でそれぞれ生じたｐ個の一次側電圧変化量を積算し、各積算期間に含まれるｐ個の単位期間でそれぞれ生じたｐ個の二次側電圧変化量を積算する電圧変化量積算手段と、
各積算期間で積算された一次側電圧変化量の積算値と二次側電圧変化量の積算値との差を電圧変化量差として演算して記憶する電圧変化量差演算手段と、
前記計測期間の間に記憶された一連の電圧変化量差の中から絶対値が最大の値をとる電圧変化量差を最大電圧変化量差として抽出する最大電圧変化量差抽出手段と、
抽出された最大電圧変化量差の演算に用いられた一次側電圧変化量の積算値が前記最大電圧変化量差の演算に用いられた二次側電圧変化量の積算値よりも大きいときに前記自動電圧調整器の一次側が系統の電源から切り離されて二次側が他の系統の電源に接続されたことに起因して前記電力の逆潮流が生じたと判定し、前記最大電圧変化量差の演算に用いられた一次側電圧変化量の積算値が前記最大電圧変化量差の演算に用いられた二次側電圧変化量の積算値よりも小さいときに前記自動電圧調整器の一次側が系統の電源に接続された状態で二次側に分散電源が連系したことに起因して前記電力の逆潮流が生じたと判定する判定手段と、
を具備したことを特徴とする配電用自動電圧調整器の逆潮流原因判定装置。
【発明の詳細な説明】
【技術分野】
【０００１】
本発明は、配電系統に設置された配電用自動電圧調整器で電力の逆潮流が生じたときに、その逆潮流が系統の切換に起因するものであるのか、又は配電用自動電圧調整器の二次側で系統に分散電源が連系していることに起因するものであるのかを判定する配電用自動電圧調整器の電力逆潮流原因判定方法及び装置に関するものである。
【背景技術】
【０００２】
配電系統においては、電力の需給バランスを図ったり、工事の際の停電を防いだりするために、複数の系統を連系させることが行われている。また近年、太陽光発電設備や風力発電設備などの発電設備が自家発電設備として設置されるようになったことに伴い、多くの自家発電設備が分散電源として配電系統と連系するようになっている。
【０００３】
配電系統においては、系統の各部の電圧を設定された範囲に保つために、系統に適宜の間隔で配電用自動電圧調整器（以下ＳＶＲともいう。）を設置して、系統の各部の電圧を設定範囲に保つように調整している。ＳＶＲは、例えば一次側にタップを有して一次側及び二次側がそれぞれ一次側（電源側）及び二次側の配電線に接続される調整変圧器と、調整変圧器のタップを切り換えるタップ切換装置とを備えていて、二次側の系統電圧（配電線電圧）を設定範囲に保つように調整変圧器のタップを切り換える調整動作を行う。
【０００４】
ＳＶＲの一次側から二次側に電力の潮流が生じているとき（ＳＶＲにおける電力の潮流が順潮流状態であるとき）には、各ＳＶＲに上記のような調整動作を行わせることにより、配電系統の各部の電圧を設定された電圧範囲に維持することができる。ところが、配電系統においては、常に各ＳＶＲにおける電力の潮流が順潮流状態であるとは限らず、系統の状態によっては、ＳＶＲにおける電力の潮流が、二次側から一次側に電力が逆送される逆潮流状態になることがある。
【０００５】
例えば複数の系統を連系させる配電系統においては、ＳＶＲの一次側及び二次側で系統の切換が行われて、ＳＶＲの一次側が電源変電所から切り離され、二次側が電源変電所に接続されたときには、ＳＶＲにおける電力の潮流が逆潮流状態になる。また複数の系統が連系していることに加えて、多数の分散電源が連係することがある配電系統においては、ＳＶＲの一次側が電源変電所に接続されている状態でも、二次側に多くの分散電源が連係したときに、ＳＶＲにおける電力の潮流が逆潮流状態になることがある。ＳＶＲで電力の逆潮流が生じると、正しい電圧調整を行うことができなくなって系統の各部の電圧が異常になるため、なんらかの対策を講じる必要がある。
【０００６】
複数の系統を連係させる配電系統に用いるＳＶＲにおいては、その一次側が電源変電所から切り離されて、二次側が他の電源変電所に接続される系統切換が行われた際に、電力の逆潮流が生じる。この場合、ＳＶＲが二次側の系統電圧を設定範囲に保つべく、調整変圧器に昇圧動作を行わせるようにタップ切換を行うと、一次側の系統電圧が設定範囲の下限値未満に低下してしまい、ＳＶＲの一次側の配電系統の電圧が異常に低下してしまう。このような異常状態が生じるのを防ぐため、複数の系統を連係させる配電系統に用いるＳＶＲは、電力の逆潮流が生じる系統の切換が行われる際に、変電所などに設置された指令所からの指令により、調整変圧器のタップを予め定めたタップに固定する動作を行うように構成されている。このような動作を行うＳＶＲを、逆送時タップ固定型ＳＶＲと呼ぶことにする。また系統切換時に調整変圧器のタップを固定する動作を行わないＳＶＲを一般型のＳＶＲと呼ぶことにする。逆送時タップ固定型ＳＶＲにおいて、系統切替え時に選択する固定タップとしは、最初素通しタップが選択され、その後、電力の逆潮流時に一次側の系統電圧を昇圧させることになるタップが選択される。
【０００７】
複数の系統が連係している配電系統において、系統切換時のみにＳＶＲで電力の逆潮流が生じる場合には、上記のような逆送時タップ固定型ＳＶＲを用いることにより、ＳＶＲで電力の逆潮流が生じた時に系統電圧が異常になるのを防ぐことができる。しかしながら、系統に分散電源が連係していることに起因してＳＶＲで電力の逆潮流が生じる場合には、逆送時タップ固定型ＳＶＲを用いても適正な電圧調整を行うことができないことがある。このことを示すために、図６及び図７を参照して、一般型ＳＶＲ及び逆送時タップ固定型ＳＶＲの種々の電力潮流状態における動作を説明する。
【０００８】
図６（Ａ）ないし（Ｃ）はそれぞれ、一般型ＳＶＲが設置された配電系統において、ＳＶＲでの電力の潮流が順方向潮流状態であるとき、系統の切換によりＳＶＲで電力の逆潮流が生じているとき、及び分散電源の連系によりＳＶＲで電力の逆潮流が生じているときの系統の状態を示す単線結線図を、ＳＶＲが調整動作を行ったときに生じる系統の電圧分布の変化を示すグラフとともに示した説明図である。
【０００９】
また図７（Ａ）ないし（Ｃ）はそれぞれ、逆送時タップ固定型ＳＶＲが設置された配電系統において、ＳＶＲでの電力の潮流が順方向潮流状態であるとき、系統の切換によりＳＶＲで電力の逆潮流が生じているとき、及び分散電源の連系によりＳＶＲで電力の逆潮流が生じているときの系統の状態を示す単線結線図を、系統の電圧分布の変化を示すグラフとともに示した説明図である。
【００１０】
図６（Ａ）ないし(Ｃ)及び図７（Ａ）ないし(Ｃ)に示された単線結線図において、１は系統の電源である変電所（電源変電所）を示し、２は変電所１に開閉器３と配電線４とを通して接続されたＳＶＲを示している。また５はＳＶＲの二次側に一端が接続された配電線を示し、６は配電線５の他端に開閉器７を介して接続された他系統の配電線を示している。図６(Ｃ)及び図７(Ｃ)において、８はＳＶＲの二次側の配電線５に接続された分散電源を示している。図６及び図７に示されたグラフにおいて、max及びminはそれぞれ系統電圧の設定範囲の上限値及び下限値を示している。
【００１１】
図６（Ａ）に示されているように、一般型ＳＶＲが設置された配電系統において、系統切換が行われておらず、ＳＶＲにおける電力の潮流が順潮流状態である場合には、図に破線で示したように系統電圧が設定範囲の下限値未満に下降しようとした時に、ＳＶＲがその二次側の電圧を上昇させる方向に調整変圧器のタップを切り換える。また系統電圧が上昇して設定範囲の上限値を超えようとした時には、ＳＶＲがその二次側の電圧を下降させる方向に調整変圧器のタップを切り換えて、系統電圧を設定範囲に保つ調整動作を行う。ＳＶＲでの電力の潮流が順潮流状態であるときには、図７（Ａ）に示すように、逆送時タップ固定型ＳＶＲも一般型ＳＶＲと同様の動作を行う。
【００１２】
また一般型ＳＶＲが設置された配電系統において、図６(Ｂ)に示されているように、系統切換により、ＳＶＲを通しての電力の潮流が逆潮流状態になった場合には、図に破線で示したように二次側の系統電圧が下降しようとした時にＳＶＲがその二次側電圧を上昇させる方向にタップを切り換えるため、結果的に一次側電圧が下降させられることになり、ＳＶＲの一次側の系統電圧が設定範囲の下限値未満に低下する異常状態が生じることがある。また系統電圧が設定範囲の上限値を超えて上昇しようとした時には、ＳＶＲがその二次側電圧を下降させる方向にタップを切り換えるため、結果的に一次側電圧を上昇させることになり、ＳＶＲの一次側の系統電圧が設定範囲の上限値を超える異常状態が生じることがある。
【００１３】
これに対し、逆送時タップ固定型ＳＶＲが設置された配電系統においては、系統切換によりＳＶＲでの電力の潮流が逆潮流状態になったときに、ＳＶＲが、変電所からの指令により、逆潮流時にその一次側の系統電圧を上昇させるように予め指定したタップに調整変圧器のタップを固定する動作を行うため、図７(Ｂ)に示されているように、ＳＶＲの二次側電圧が低下しようとしたときに一次側電圧を上昇させ、二次側電圧が上昇しようとしたときには一次側電圧を下降させて、系統電圧を設定範囲に保つことができる。
【００１４】
上記のように、系統切換によりＳＶＲで電力の逆潮流が生じた際に系統電圧を異常に低下させたり、上昇させたりしないようにするためには、ＳＶＲとして、逆送時タップ固定型ＳＶＲを用いればよいが、ＳＶＲの一次側に電源がある状態で、ＳＶＲの二次側で系統に分散電源が連係したことによりＳＶＲで電力の逆潮流が生じた場合には、以下に示すように、逆送時タップ固定型ＳＶＲを用いると、ＳＶＲの二次側の系統電圧が異常に低下する現象が生じることがある。
【００１５】
一般型ＳＶＲが設置された配電系統において、図６（Ｃ）に示されているように、ＳＶＲの一次側が電源変電所に接続され、二次側で系統に分散電源が連系していることに起因してＳＶＲで電力の逆潮流状態が生じている状態で、図６（Ｃ）に破線で示されているように、二次側の系統電圧が設定範囲の上限値を超えて上昇しようとしたときには、ＳＶＲがその二次側の系統電圧を下降させる方向にタップを切り換えて、系統電圧を設定範囲に保つ調整動作を行う。また二次側の系統電圧が設定範囲の下限値未満に下降しようとしたときには、ＳＶＲがその二次側の系統電圧を上昇させる方向に調整変圧器のタップを切り換えて、一次側の系統電圧を設定範囲に保つ調整動作を行う。従って、一般型ＳＶＲが設置された配電系統においては、ＳＶＲの一次側が電源変電所に接続され、二次側で分散電源が連系していることに起因してＳＶＲで電力の逆潮流が生じている状態でも、系統電圧を設定範囲に保つことができる。
【００１６】
これに対し、逆送時タップ固定型ＳＶＲが設置された配電系統において、変電所１の開閉器３が閉じ、ＳＶＲの一次側が電源変電所１に接続されている状態で、ＳＶＲの二次側で系統に分散電源が連系していることに起因してＳＶＲで電力の逆潮流が生じたときには、逆潮流時に一次電圧を上昇させるように予め指定したタップに調整変圧器のタップが固定されるが、電源変電所に接続されているＳＶＲの一次側電圧が大容量の系統電圧により固定されているため、結果的に、図７（Ｃ）に示すように、二次側電圧が押し下げられて、二次側の系統電圧が設定範囲の下限値minを下回る異常状態が生じることがある。
【００１７】
上記のことから、系統切換によりＳＶＲで電力の逆潮流が生じた場合及び一次側が電源変電所に接続されている状態で二次側の系統に分散電源が連係したことによりＳＶＲで電力の逆潮流が生じた場合の何れの場合にも系統電圧を適正な範囲に維持するためには、系統切換によりＳＶＲで電力の逆潮流が生じたときにＳＶＲを逆送時タップ固定型ＳＶＲの動作モードで動作させ、分散電源が系統に連係したことによりＳＶＲで電力の逆潮流が生じたときには、ＳＶＲを一般型ＳＶＲの動作モードで動作させることが必要であることが分かる。
【００１８】
上記のようにＳＶＲの動作モードを切り換えるためには、ＳＶＲで電力の逆潮流が生じた際に、その逆潮流の原因が系統切換に起因するのか、一次側に電源があるＳＶＲの二次側で系統に分散電源が連係したことに起因するのかを判定する必要がある。
【００１９】
逆送時タップ固定型ＳＶＲが用いられる場合には、系統の切換が行われる際に変電所などに設けられた指令所から与えられる素通し制御指令により、ＳＶＲの調整変圧器のタップを一旦素通しタップに切り換える素通し制御が行われる。従って、ＳＶＲで電力の逆潮流が検出されたときに素通し制御指令が与えられている場合には、電力の逆潮流が生じた原因が、系統切換が行われたことにあり、ＳＶＲで電力の逆潮流が検出されたときに素通し制御指令が与えられていない場合には、電力の逆潮流が生じた原因が、系統に分散電源が連係したことにあると一応判定することができる。しかしながら、ＳＶＲの動作モードの切換を誤りなく行うためには、電力の逆潮流の原因を更に別の方法によっても行って、原因特定の正確を期することが好ましい。また素通し制御を行わない系統において、ＳＶＲの電力逆潮流時の動作モードの切換を適確に行わせるためには、素通し制御指令によらずに電力の逆潮流の原因を判定する方法を確立することが必須である。
【００２０】
そこで、本出願人等は先に、特許文献１に示されているように、電力の逆潮流が検出されている状態でタップ切換が行われた時に生じるＳＶＲの一次側電圧の変化量と二次側電圧の変化量とから逆潮流の原因を特定する方法を提案した。この方法では、ＳＶＲの一次側が電源変電所に接続されている状態では、タップ切換時に系統容量が大きいＳＶＲの一次側（変電所側）で生じる電圧の変化量が、ＳＶＲの二次側（負荷側）で生じる電圧の変化量に比べて小さくなることに着目して、電力の逆潮流の原因を判別する。
【００２１】
系統の状態とタップ切換時の一次側電圧の変化及び二次側電圧の変化との関係を、表にまとめた形で図８に示した。図８に示された関係は下記の（ａ）ないし（ｃ）の通りである。
（ａ）ＳＶＲの一次側が電源変電所に接続されていてＳＶＲを通して順方向に電力が潮流しているとき：
ＳＶＲの二次側電圧を上昇させる方向にタップを切換えた際に二次側電圧がほぼステップ状に上昇するが、一次側電圧はほとんど変化しない。
また二次側電圧を下降させる方向にタップを切換えた際には、二次側電圧がほぼステップ状に下降するが、一次側電圧はほとんど変化しない。
（ｂ）ＳＶＲの一次側が電源変電所から切り離され、二次側が他系統の変電所に接続された（系統切換が行われた）ために電力が逆潮流しているとき：
ＳＶＲの二次側電圧を上昇させる方向にタップを切換えた際に一次側電圧がほぼステップ状に下降する（負側に変化する）。このときっＳＶＲの二次側電圧はステップ状に上昇するがその変化量は僅かである。
またＳＶＲの二次側電圧を下降させる方向にタップを切換えた際には、一次側電圧がほぼステップ状に上昇する（正側に変化する）。このときＳＶＲの二次側電圧は僅かに下降するがその変化量は僅かである。
（ｃ）ＳＶＲの一次側が変電所に接続されている状態で、二次側に分散電源が連系しているためにＳＶＲを通して電力が逆潮流しているとき：
ＳＶＲの二次側電圧を上昇させる方向にタップを切換えた際に二次側電圧がステップ状に上昇する。ＳＶＲの一次側電圧は僅かに下降するがその変化量は僅かである。
またＳＶＲの二次側電圧を下降させる方向にタップを切換えた際に二次側電圧がステップ状に下降する。このときＳＶＲの一次側電圧は僅かに上昇するがその変化量は僅かである。
【００２２】
系統の状態と、ＳＶＲのタップ切換時の一次側電圧及び二次側電圧の変化との間には上記のような関係があるため、ＳＶＲで電力の逆潮流が検出されている状態でタップ切換が行われた際に生じる一次側電圧の変化量及び二次側電圧の変化量との関係を判別することにより、その逆潮流が如何なる原因で生じたかを判別することができる。
【００２３】
特許文献１に示された方法では、ＳＶＲの一次側及び二次側でそれぞれ生じる電圧の変化を検出し、ＳＶＲで電力の逆潮流が生じていることが検出され、かつタップが切り換えられた際に生じるＳＶＲの一次側電圧の変化量が二次側電圧の変化量よりも大きいことが検出されたときに、ＳＶＲの一次側が電源変電所から切り離されて二次側が他系統の電源変電所に接続される系統切換が行われたことに起因して電力の逆潮流が生じていると判定する。またＳＶＲで電力の逆潮流が生じていることが検出され、かつタップが切り換えられた際に生じるＳＶＲの二次側電圧の変化量が一次側電圧の変化量よりも大きいことが検出されたときに、ＳＶＲの一次側が電源変電所に接続されている状態でＳＶＲの二次側の系統に分散電源が連系していることに起因して電力の逆潮流が生じていると判定する。
【００２４】
即ち、特許文献１に示された方法では、ＳＶＲで電力の逆潮流が生じている状態で、タップ切換時に検出される一次側電圧の変化量と二次側電圧の変化量との間に「一次側電圧の変化量＜二次側電圧の変化量」の関係があるときに、電源がＳＶＲの一次側にあると判定して、ＳＶＲでの電力の逆潮流の原因がＳＶＲの二次側で系統に分散電源が連係していることにあると判定し、「一次側電圧の変化量＞二次側電圧の変化量」の関係があるときに、電源がＳＶＲの二次側にあると判定して、電力の逆潮流の原因が系統の切換が行われたことにあると判定する。
【００２５】
以下の説明では、ＳＶＲの一次側が電源変電所から切り離されて二次側が他系統の電源変電所に接続される系統切換が行われたことに起因してＳＶＲで起こる電力の逆潮流を、「系統切換に起因する電力の逆潮流」と呼び、ＳＶＲの一次側が電源変電所に接続されている状態でＳＶＲの二次側の系統に分散電源が連系していることに起因してＳＶＲで起こる電力の逆潮流を「分散電源の連系に起因する電力の逆潮流」と呼ぶ。
【先行技術文献】
【特許文献】
【００２６】
【特許文献１】特開２０００−２９５７７４号公報
【発明の概要】
【発明が解決しようとする課題】
【００２７】
特許文献１に示された方法により電力の逆潮流が生じた原因を正確に特定するためには、タップが切り換えられた際に生じる一次側電圧の変化量及び二次側電圧の変化量を正確に検出する必要がある。従来の方法では、ＳＶＲがタップ切換動作を開始した後、該切換動作が終了するまでの期間を計測期間として、ＳＶＲの一次側電圧及び二次側電圧を一定の時間間隔で発生する検出タイミングで検出し、各検出タイミングで検出した一次側電圧の計測値と、２つ前の検出タイミングで検出した一次側電圧の計測値との差の絶対値を一次側電圧の変化量として順次求める。同様に、各検出タイミングで検出した二次側電圧の計測値と、２つ前の検出タイミングで検出した二次側電圧の計測値との差の絶対値を二次側電圧の変化量として順次求め、タップ切り換え時の一次側電圧の変化量及び二次側電圧の変化量が求まる毎に、両者の変化量の差を電圧変化量差として演算して、この電圧変化量差の大小関係から、系統の状態を判定する。しかしながら、このような判定方法では、系統の負荷変動によりＳＶＲの一次側電圧及び二次側電圧が変動した場合に、判定を誤ることがあった。
【００２８】
一例として、ＳＶＲの一次側が電源変電所に接続されている状態でＳＶＲの二次側で系統に分散電源が連係したことに起因して電力の逆潮流が生じている状態で、ＳＶＲの二次側電圧を下降させる方向にタップを切り換えた場合を例にとって、誤判定が生じる理由につき説明する。
【００２９】
図５（Ａ）は、ＳＶＲの一次側電圧及び二次側電圧を計測する期間を定める計測指令信号で、この信号は、計測期間Ｔa とそれ以外の期間とで異なるレベルを示す矩形波信号である。計測期間Ｔa は、ＳＶＲがタップ切換動作を行う期間を含むように設定される。通常ＳＶＲのタップ切換装置は、タップ切換指令が与えられたときにモータにより駆動軸を回転させて、該駆動軸が所定の角度回転する間に、調整変圧器のタップを切り換えるために必要な一連の動作を行わせる。上記計測期間は例えば、タップ切換指令が与えられたタイミングで始まり、調整変圧器のタップが新たなタップに切り換えられた後、更に一定の時間が経過したタイミングで終了するように設定される。
【００３０】
図５（Ｂ）及び（Ｃ）はそれぞれ分散電源が連係したことに起因してＳＶＲで電力の逆潮流が起こっている状態で、ＳＶＲの二次側電圧を降圧させる方向にタップを切り換えた際に生じるＳＶＲの一次側電圧の変化及び二次側電圧の変化を示したものである。ＳＶＲの一次側が変電所に接続されていて、二次側で分散電源が連係したことよりＳＶＲを通して逆方向に電力が潮流している状態でＳＶＲの二次側電圧を下降させる方向にタップを切り換えたときには、図５（Ｂ）に実線で示したように、一次側電圧はほとんど変化しないが、二次側電圧は、同図（Ｃ）に実線で示したように、タップ切換時にほぼステップ状に下降する。図５（Ｃ）に符号ａで示した電圧変化がタップ切換の際に二次側電圧に生じる変化である。ＳＶＲで電力の逆潮流が検出されている状態で、このタップ切換時の二次側電圧の変化量が、一次側電圧の変化量よりも大きいことが検出されたときに、その電力の逆潮流の原因が、ＳＶＲの二次側で系統に分散電源が連係したことにあると判定することができる。
【００３１】
従来の方法では、計測指令信号が発生するタイミングｔ1を最初の検出タイミングとして、一定の時間毎に発生する検出タイミングｔ1，ｔ2，ｔ3，…，ｔnでＳＶＲの一次側電圧Ｖ11，Ｖ12，…，Ｖ1n及び二次側電圧Ｖ21，Ｖ22，…，Ｖ2nを検出し、各検出タイミングｔk（ｋ＝３，４，…，ｎ）で検出した一次側電圧の計測値と、２つ前の検出タイミングｔk-2で検出した一次側電圧の計測値との差の絶対値を一次側電圧の変化量ΔＶ1k＝｜Ｖ1k-2 −Ｖ1k｜として順次求める。同様に、各検出タイミングで検出した二次側電圧の計測値と、２つ前の検出タイミングで検出した二次側電圧の計測値との差の絶対値を二次側電圧の変化量ΔＶ2k＝｜Ｖ2k-2 −Ｖ2k｜として順次求め、一次側電圧の変化量ΔＶ1k及び二次側電圧の変化量ΔＶ2kが演算される毎に、一次側電圧の変化量と二次側電圧の変化量との差ΔＶk＝ΔＶ1k−ΔＶ2kを電圧変化量差として求めて、この電圧変化量差ΔＶkの符号が正であるか負であるかを判別する。その結果、電圧変化量差ΔＶkが正でその絶対値がしきい値以上であることが検出されたときに、系統切換に起因してＳＶＲで電力の逆潮流が生じていると判定する。また、電圧変化量差ΔＶkが負で、その絶対値がしきい値以上であることが検出されたときに、分散電源の連系に起因してＳＶＲで電力の逆潮流が生じていると判定する。
【００３２】
図５に示した例において、一次側電圧及び二次側電圧がそれぞれ図に実線で示したように変化した場合には、検出タイミングｔn-1で、ΔＶ1n-1＝｜Ｖ1n-3 −Ｖ1n-1｜、ΔＶ2n-1＝｜Ｖ2n-3 −Ｖ2n-1｜が演算され、ΔＶn-1＝ΔＶ1n-1 − ΔＶ2n-1＜０であると判定されるため、検出タイミングｔn-1で、分散電源の連係に起因して電力の逆潮流が生じていると判定することができる。
【００３３】
しかしながら、ＳＶＲの調整変圧器でタップ切換が行われた際にたまたま系統の負荷変動により、図５に波線で示したようにＳＶＲの一次側電圧及び二次側電圧が変動した場合には、ΔＶn-1＝ΔＶ1n-1 − ΔＶ2n-1＞０となるため、系統切換に起因して電力の逆潮流が生じているとの誤った判定がされることになる。
【００３４】
本発明の目的は、配電系統に設置された自動電圧調整器で電力の逆潮流が生じていることが検出されたときにその原因を正確に判定することができるようにした配電用自動電圧調整器の電力逆潮流原因判定方法及びこの方法を実施するために用いる逆潮流原因判定装置を提供することにある。
【課題を解決するための手段】
【００３５】
本発明は、配電系統に設置された負荷時タップ切換式の配電用自動電圧調整器で二次側から一次側に電力の逆潮流が生じたときに、その原因を判定する配電用自動電圧調整器の電力逆潮流原因判定方法を対象とする。
【００３６】
本発明に係る判定方法においては、配電用自動電圧調整器で電力の逆潮流が検出されたときに、該自動電圧調整器がタップ切換を行う期間を含むように設定した一定の計測期間の間、該自動電圧調整器の一次側電圧及び二次側電圧を一定の周期で発生する検出タイミングで検出して、以下の（１）ないし（５）の処理を行う。
（１）各検出タイミングから次の検出タイミングまでの期間を単位期間として、各単位期間の間に生じた一次側電圧の変化量の絶対値を各単位期間で生じた一次側電圧変化量として演算し、各単位期間の間に生じた二次側電圧の変化量の絶対値を各単位期間で生じた二次側電圧変化量として演算する電圧変化量演算処理。
（２）各単位期間と各単位期間に続いて現れるｐ−１個（ｐは２以上の整数）の単位期間とを含む連続するｐ個の単位期間からなる期間を積算期間Ｔi （ｉは２以上の整数）として、各積算期間に含まれるｐ個の単位期間でそれぞれ生じたｐ個の一次側電圧変化量を積算し、各積算期間に含まれるｐ個の単位期間でそれぞれ生じたｐ個の二次側電圧変化量を積算する電圧変化量積算処理。
（３）各積算期間で積算された一次側電圧変化量の積算値と二次側電圧変化量の積算値との差を電圧変化量差として演算して記憶する電圧変化量差演算処理。
（４）計測期間の間に記憶された一連の電圧変化量差の中から絶対値が最大の値をとる電圧変化量差を最大電圧変化量差として抽出する最大電圧変化量差抽出処理。
（５）抽出された最大電圧変化量差の演算に用いられた一次側電圧変化量の積算値が最大電圧変化量差の演算に用いられた二次側電圧変化量の積算値よりも大きいときに自動電圧調整器の一次側が系統の電源から切り離されて二次側が他の系統の電源に接続されたことに起因して前記電力の逆潮流が生じたと判定し、最大電圧変化量差の演算に用いられた一次側電圧変化量の積算値が最大電圧変化量差の演算に用いられた二次側電圧変化量の積算値よりも小さいときに自動電圧調整器の一次側が系統の電源に接続された状態で二次側に分散電源が連系したことに起因して電力の逆潮流が生じたと判定する判定処理。
【００３７】
系統で負荷変動が生じたときには、ＳＶＲの一次側電圧も二次側電圧も同じ変化を示す。従って、上記のように、各検出タイミングから次の検出タイミングまでの期間を「単位期間」として、各単位期間の間に生じた一次側電圧及び二次側電圧の変化量を演算するとともに、各単位期間と各単位期間に続くｐ−１個（ｐは２以上の整数）の単位期間とを含む連続するｐ個の単位期間からなる期間を「積算期間」として、各積算期間に含まれるｐ個の単位期間でそれぞれ生じたｐ個の一次側電圧変化量及びｐ個の二次側電圧変化量をそれぞれ積算し、各積算期間で積算された一次側電圧変化量の積算値と二次側電圧変化量の積算値との差を「電圧変化量差」として演算すると、負荷変動に伴う一次側電圧及び二次側電圧の変化は電圧変化量差を演算する際にキャンセルされ、タップ切換により一次側電圧及び二次側電圧が変動したときに、該電圧変化量差の絶対値が最大になる。従って、上記のように、計測期間の間に演算された一連の電圧変化量差の中から絶対値が最大の値をとる電圧変化量差を最大電圧変化量差として抽出することにより、タップ切換時に生じる一次側及び二次側の電圧変化を正確に検出することができ、タップ切換時に生じた一次側電圧の変化量と二次側電圧の変化量との関係からＳＶＲで電力の逆潮流が生じた原因を特定することができる。
【００３８】
本発明の好ましい態様では、各単位期間の始点となる検出タイミング及び終点となる検出タイミングでそれぞれ検出された一次側電圧の検出値の差の絶対値を各単位期間の間に生じた一次側電圧変化量として演算し、各単位期間の始点となる検出タイミング及び終点となる検出タイミングでそれぞれ検出された二次側電圧の検出値の差の絶対値を各単位期間の間に生じた二次側電圧変化量として演算することにより電圧変化量演算処理を行う。  
【００３９】
本発明の好ましい態様では、判定処理において、最大電圧変化量差の符号から最大電圧変化量差の演算に用いられた一次側電圧変化量及び二次側電圧変化量の大小を判別する。
【００４０】
本発明の好ましい態様では、上記電圧変化量差演算処理において、一次側電圧変化量の積算値から二次側電圧変化量の積算値を減じることにより電圧変化量差を演算する。この場合、判定処理では、最大電圧変化量差が正であるときに自動電圧調整器の一次側が系統の電源から切り離されて二次側が他の系統の電源に接続されたことに起因して電力の逆潮流が生じたと判定し、最大電圧変化量差が負であるときに自動電圧調整器の一次側が系統の電源に接続された状態で二次側に分散電源が連系したことに起因して電力の逆潮流が生じたと判定する。
【００４１】
上記の判定方法を実施する配電用自動電圧調整器の電力逆潮流原因判定装置は、配電用自動電圧調整器で電力の逆潮流が検出されたときに、自動電圧調整器がタップ切換を行う期間を含むように設定した一定の計測期間の間自動電圧調整器の一次側電圧及び二次側電圧をそれぞれ一定周期で発生する検出タイミングで検出する電圧検出装置と、各検出タイミングから次の検出タイミングまでの期間を単位期間として、各単位期間の間に生じた一次側電圧の変化量の絶対値を各単位期間で生じた一次側電圧変化量として演算し、各単位期間の間に生じた二次側電圧の変化量の絶対値を各単位期間で生じた二次側電圧変化量として演算する電圧変化量演算手段と、各単位期間と各単位期間に続いて現れるｐ−１個（ｐは２以上の整数）の単位期間とを含む連続するｐ個の単位期間からなる期間を積算期間として、各積算期間に含まれるｐ個の単位期間でそれぞれ生じたｐ個の一次側電圧変化量を積算し、各積算期間に含まれるｐ個の単位期間でそれぞれ生じたｐ個の二次側電圧変化量を積算する電圧変化量積算手段と、各積算期間で積算された一次側電圧変化量の積算値と二次側電圧変化量の積算値との差を電圧変化量差として演算して記憶する電圧変化量差演算手段と、計測期間の間に記憶された一連の電圧変化量差の中から絶対値が最大の値をとる電圧変化量差を最大電圧変化量差として抽出する最大電圧変化量差抽出手段と、抽出された最大電圧変化量差の演算に用いられた一次側電圧変化量の積算値が最大電圧変化量差の演算に用いられた二次側電圧変化量の積算値よりも大きいときに自動電圧調整器の一次側が系統の電源から切り離されて二次側が他の系統の電源に接続されたことに起因して電力の逆潮流が生じたと判定し、最大電圧変化量差の演算に用いられた一次側電圧変化量の積算値が最大電圧変化量差の演算に用いられた二次側電圧変化量の積算値よりも小さいときに自動電圧調整器の一次側が系統の電源に接続された状態で二次側に分散電源が連系したことに起因して電力の逆潮流が生じたと判定する判定手段とを備えることにより構成される。
【発明の効果】
【００４２】
本発明によれば、負荷変動に伴う一次側電圧及び二次側電圧の変化をキャンセルして、タップ切換時に生じるＳＶＲの一次側及び二次側の電圧変化を正確に検出することができるため、タップ切換時に生じた一次側電圧の変化量と二次側電圧の変化量との関係からＳＶＲで電力の逆潮流が生じた原因を正確に特定することができる。
【図面の簡単な説明】
【００４３】
【図１】本発明の一実施形態のハードウェアの構成を概略的に示した構成図である。
【図２】マイクロプロセッサにより構成される各手段を含む本発明の一実施形態の構成を示したブロック図である。
【図３】ＳＶＲの構成の一例を示した結線図である。
【図４】本発明に係わる判定方法を説明するために用いる各部の信号波形図である。
【図５】従来の判定方法を説明するために用いる各部の信号波形図である。
【図６】（Ａ）ないし（Ｃ）はそれぞれ、一般型ＳＶＲが設置された配電系統において、ＳＶＲでの電力の潮流が順方向潮流状態であるとき、系統の切換によりＳＶＲで電力の逆潮流が生じているとき、及び分散電源の連系によりＳＶＲで電力の逆潮流が生じているときの系統の状態を示す単線結線図を、系統の電圧分布の変化を示すグラフとともに示した説明図である。
【図７】（Ａ）ないし（Ｃ）はそれぞれ、逆送時タップ固定型ＳＶＲが設置された配電系統において、ＳＶＲでの電力の潮流が順方向潮流状態であるとき、系統の切換によりＳＶＲで電力の逆潮流が生じているとき、及び分散電源の連系によりＳＶＲで電力の逆潮流が生じているときの系統の状態を示す単線結線図を、系統の電圧分布の変化を示すグラフとともに示した説明図である。
【図８】系統の状態とタップ切換時の一次側電圧の変化及び二次側電圧の変化との関係をまとめて示した図表である。
【発明を実施するための形態】
【００４４】
先ず図４（Ａ）ないし（Ｃ）を参照して、本発明の一実施形態に係る判定方法を説明する。図４（Ａ）はＳＶＲで電力の逆潮流が検出されたときに、ＳＶＲの一次側電圧及び二次側電圧を計測する期間Ｔａを定めるために用いる計測指令信号を示している。この信号は、計測期間Ｔａ とそれ以外の期間とで異なるレベルを示す矩形波信号であり、計測期間Ｔａ は、ＳＶＲがタップ切換動作を行う期間を含むように設定される。通常ＳＶＲのタップ切換装置は、タップ切換指令が与えられたときにモータにより駆動軸を回転させて、該駆動軸が所定の角度回転する間に、調整変圧器のタップを切り換えるために必要な一連の動作を行わせる。この場合、上記計測期間は、タップ切換指令が与えられたタイミングで始まり、調整変圧器のタップが新たなタップに切り換えられた後、更に一定の時間が経過したタイミングで終了するように設定するのが好ましい。
【００４５】
図４（Ｂ）及び（Ｃ）はそれぞれ分散電源の連係に起因してＳＶＲで電力の逆潮流が起こっている状態で、ＳＶＲの二次側電圧を降圧させる方向にタップを切り換えた際に生じるＳＶＲの一次側電圧の変化及び二次側電圧の変化を示したものである。ＳＶＲの一次側が変電所に接続されていて、ＳＶＲを通して逆方向に電力が潮流している状態でＳＶＲの二次側電圧を下降させる方向にタップを切り換えたときには、図４（Ｂ）に実線で示したように、一次側電圧はほとんど変化しないが、二次側電圧は、同図（Ｃ）に実線で示したように、タップ切換時にほぼステップ状に下降する。ＳＶＲのタップ切換が行われる際に系統の負荷変動が生じた場合には、図４（Ｂ）及び（Ｃ）に波線で示したように、ＳＶＲの一次側電圧及び二次側電圧が同じような変化を示す。
【００４６】
本実施形態に係る逆潮流判定方法では、ＳＶＲで電力の逆潮流が検出されたときに、ＳＶＲがタップ切換を行う期間を含むように設定した一定の計測期間Ｔａの間、ＳＶＲの一次側電圧及び二次側電圧を一定の周期で発生する検出タイミングｔ1 ，ｔ2 ,…，ｔn で検出し、各検出タイミングから次の検出タイミングまでの期間を単位期間Ｔo として、各単位期間の間に生じた一次側電圧の変化量の絶対値を各単位期間で生じた一次側電圧変化量として演算し、各単位期間の間に生じた二次側電圧の変化量の絶対値を各単位期間で生じた二次側電圧変化量として演算する電圧変化量演算処理を行う。この電圧変化量演算処理では、各単位期間の始点となる検出タイミング及び終点となる検出タイミングでそれぞれ検出された一次側電圧の検出値の差の絶対値を各単位期間の間に生じた一次側電圧変化量として演算し、各単位期間の始点となる検出タイミング及び終点となる検出タイミングでそれぞれ検出された二次側電圧の検出値の差の絶対値を各単位期間の間に生じた二次側電圧変化量として演算する。
【００４７】
例えば、検出タイミングｔ1 からｔ2 までの１番目の単位期間Ｔo の間に生じた一次側電圧変化量は、検出タイミングｔ1 で検出された一次側電圧と検出タイミングｔ2 で検出された一次側電圧との差の絶対値を演算することにより求め、１番目の検出タイミングｔ1 からｔ2 までの単位期間Ｔo の間に生じた二次側電圧変化量は、検出タイミングｔ1 で検出された二次側電圧と検出タイミングｔ2 で検出された二次側電圧との差の絶対値を演算することにより求める。
【００４８】
本実施形態の判定方法ではまた、各単位期間と各単位期間に続いて現れるｐ−１個（ｐは２以上の整数）の単位期間とを含む連続するｐ個の単位期間からなっていて、検出タイミングが進む毎に時間軸に沿って時間の経過方向に移動していく期間を積算期間Ｔi1，Ｔi2，…，Ｔimとして、各積算期間に含まれるｐ個の単位期間でそれぞれ生じたｐ個の一次側電圧変化量を積算し、各積算期間に含まれるｐ個の単位期間でそれぞれ生じたｐ個の二次側電圧変化量を積算する電圧変化量積算処理を行う。
【００４９】
また各積算期間で一次側電圧変化量の積算値及び二次側電圧変化量の積算値が演算される毎に、演算された一次側電圧変化量の積算値と二次側電圧変化量の積算値との差を電圧変化量差として演算して記憶する電圧変化量差演算処理を行う。
【００５０】
そして、計測期間Ｔａに含まれるすべての積算期間で電圧変化量差を演算した後、計測期間Ｔａの間に記憶された一連の電圧変化量差の中から絶対値が最大の値をとる電圧変化量差を最大電圧変化量差として抽出する最大電圧変化量差抽出処理を行い、抽出された最大電圧変化量差を用いて判定処理を行う。
【００５１】
判定処理では、抽出された最大電圧変化量差の演算に用いられた一次側電圧変化量の積算値が最大電圧変化量差の演算に用いられた二次側電圧変化量の積算値よりも大きいときに自動電圧調整器の一次側が系統の電源から切り離されて二次側が他の系統の電源に接続されたことに起因して電力の逆潮流が生じたと判定し、最大電圧変化量差の演算に用いられた一次側電圧変化量の積算値が最大電圧変化量差の演算に用いられた二次側電圧変化量の積算値よりも小さいときに自動電圧調整器の一次側が系統の電源に接続された状態で二次側に分散電源が連系したことに起因して電力の逆潮流が生じたと判定する。
【００５２】
上記の判定処理は、最大変化量差の符号を判別することにより簡単に行うことができる。例えば、電圧変化量差演算処理において、一次側電圧変化量の積算値から二次側電圧変化量の積算値を減じることにより電圧変化量差を演算する場合には、最大電圧変化量差が正であるときに自動電圧調整器の一次側が系統の電源から切り離されて二次側が他の系統の電源に接続されたことに起因して電力の逆潮流が生じたと判定することができ、最大電圧変化量差が負であるときに自動電圧調整器の一次側が系統の電源に接続された状態で二次側に分散電源が連系したことに起因して電力の逆潮流が生じたと判定することができる。
【００５３】
ＳＶＲがタップ切換を行った際にたまたま系統で負荷変動が生じたときには、ＳＶＲの一次側電圧及び二次側電圧が図４（Ｂ）及び（Ｃ）に波線で示したような変化を示すが、上記のように、検出タイミングが進む毎に移動していく積算期間Ｔi1，Ｔi2，…，Ｔimにそれぞれ含まれるｐ個の単位期間でそれぞれ生じたｐ個の一次側電圧変化量及びｐ個の二次側電圧変化量をそれぞれ積算し、各積算期間で積算された一次側電圧変化量の積算値と二次側電圧変化量の積算値との差を「電圧変化量差」として演算するようにすると、電圧変化量差を演算する際に負荷変動に伴う一次側電圧及び二次側電圧の変化をキャンセルすることができ、タップ切換により一次側電圧及び二次側電圧が変動したときに、該電圧変化量差の絶対値が最大になる。従って、上記のように、計測期間の間に演算された一連の電圧変化量差の中から絶対値が最大の値をとる電圧変化量差を最大電圧変化量差として抽出することにより、タップ切換時に生じる一次側及び二次側の電圧変化を正確に検出することができ、図８に示されたような、タップ切換時に生じる一次側電圧の変化量と二次側電圧の変化量との関係からＳＶＲで電力の逆潮流が生じた原因を正確に特定することができる。
【００５４】
図１は、本発明の判定方法を実施する判定装置のハードウェアの構成を概略的に示したものである。同図において２はＳＶＲ、４は一端が図示しない変電所のトランスに開閉器を介して接続され、他端がＳＶＲの一次側に接続されたＵ，Ｖ，Ｗ三相の一次側配電線である。また５は一端がＳＶＲ２の二次側に接続され、他端が開閉器を介して他の系統の配電線に接続されたＵ，Ｖ，Ｗ三相の二次側配電線である。
【００５５】
ＳＶＲ２は、例えば図３に示すように構成される。図３において、２Ａはタップａ1 〜ａ9 を有する単巻変圧器からなる調整変圧器、２Ｂは調整変圧器のタップを切り換える負荷時タップ切換装置である。調整変圧器２Ａの一次側には負荷時タップ切換装置２Ｂを通して配電線４の電圧が入力されている。また調整変圧器２Ａの二次側は配電線５に接続されている。２ＣはＳＶＲの二次側の電圧Ｖ1 を検出する計器用変圧器（ＰＴ）、２Ｄは二次側電圧を目標電圧に保つようにタップ切換装置２Ｂにタップ切換指令を与える電圧調整継電器（９０リレー）、２Ｅは電圧調整継電器２Ｄに対して直列に接続された線路電圧降下補償器（ＬＤＣ）で、電圧調整継電器２Ｄと線路電圧降下補償器２Ｅとの直列回路が計器用変圧器２Ｃの出力端子間に接続されている。ＬＤＣ２Ｅには、二次側の配電線５を流れる負荷電流ＩL を検出する変流器（ＣＴ）２Ｆの出力が入力されている。Ｖ1及びＶ2はそれぞれＳＶＲの一次側電圧及び二次側電圧である。
【００５６】
図３に示したＳＶＲにおいては、電圧調整継電器２Ｄが計器用変圧器２Ｃの出力電圧ＶL'から二次側電圧Ｖ2 を検出して、一次側配電線４側から二次側配電線５側に電力が送られているとき（電力順送時）に二次側電圧Ｖ2 を目標電圧に保つようにタップ切換装置２Ｂにタップ切換指令を与える。タップ切換装置２Ｂは、電圧調整継電器２Ｄから与えられるタップ切換指令に応じて調整変圧器２Ａのタップを切り換えて、ＳＶＲの二次側電圧Ｖ2 を目標電圧に保つように（二次側電圧Ｖ2 と目標電圧との差を許容範囲に収めるように）調整する。
【００５７】
即ち、電力順送時に二次側電圧Ｖ2 が目標電圧よりも低くなったときには電圧調整継電器２Ｄが昇圧指令を発生し、これにより調整変圧器２Ａのタップを昇圧側に切り換えて二次側電圧Ｖ2 と目標電圧との差を許容範囲以下にするように電圧を調整する。また二次側電圧Ｖ2 が目標電圧を超えたときには電圧調整継電器２Ｄが降圧指令を発生し、これにより調整変圧器２Ａのタップを降圧側に切り換えて二次側電圧と目標電圧との差を許容範囲以下とするように電圧を調整する。
【００５８】
線路電圧降下補償器２Ｅは、配電線５の線路インピーダンスを模擬した抵抗とリアクタンスとから成っていて、該抵抗及びリアクタンスにＣＴ２Ｆの出力電流ＩLDC が流れるように設けられている。線路電圧降下補償器２Ｅの両端には、線路インピーダンスによる電圧降下に比例した電圧降下ＶLDC が生じる。このとき電圧調整継電器２Ｄに加わる電圧Ｖ90はＶ2 −ＶLDC となり、線路電圧降下補償器２Ｅが挿入されていない場合に比べて、ＶLDCだけ低くなる。そのため電圧調整継電器２Ｄは、調整変圧器２Ａのタップを線路電圧降下ＶLDC 分だけ昇圧側に切り換えるように負荷時タップ切換装置２Ｂにタップ切換指令を与えて、線路インピーダンスによる電圧降下を補償する。
【００５９】
図１において、１０はＳＶＲの二次側に設けられてＷ相電流と位相が反転されたＵ相電流とが入力された変流器、１１は変流器１０の出力が入力された逆電力継電器で、変流器１０と逆電力継電器１１とにより電力逆潮流検出装置１２が構成されている。１３及び１４はそれぞれＳＶＲのＵ，Ｗ相間から一次側電圧Ｖ1 及び二次側電圧Ｖ2 を検出する計器用変圧器（ＰＴ）である。計器用変圧器１３及び１４から得られる一次側電圧及び二次側電圧の検出信号はそれぞれ負担抵抗などを備えた一次側電圧検出回路１５及び１６を通して第１及び第２のＡ／Ｄ変換器１７及び１８に入力されてデジタル信号に変換される。１９は電力逆潮流検出装置１２が電力の逆潮流を検出している状態で、ＳＶＲのタップ切換装置がタップ切換を行う際に計測指令信号を発生する計測指令信号発生手段である。計測指令信号発生手段１９は、タップ切換指令が与えられたタイミングで立ち上がり、調整変圧器のタップが新たなタップに切り換えられた後、更に一定の時間が経過したタイミングで立ち下がる矩形波状の計測指令信号を発生する。第１及び第２のＡ／Ｄ変換器１７及び１８から得られるデジタル信号は、電力逆潮流検出装置１２の出力及び計測指令信号発生手段１９の出力とともにマイクロプロセッサ２０に入力されている。
【００６０】
マイクロプロセッサ２０は、所定のプログラムを実行することにより、種々の機能を果たす手段を構成する。図２は、マイクロプロセッサ２０により構成される手段を含む本実施形態に係る判定装置の構成を示したものである。本実施形態では、電力逆潮流検出装置１２がＳＶＲで電力の逆潮流が生じたことを検出しているときに、ＳＶＲ２がタップ切換（調整動作）を行う期間を含むように設定した一定の計測期間Ｔａの間、計器用変圧器１３が検出したＳＶＲの一次側電圧Ｖ1の検出値をデジタル値に変換する第１のＡ／Ｄ変換器１７の出力を、一定の時間間隔で発生する検出タイミングｔ1，ｔ2，…，ｔn で検出してホールドする第１のサンプルホールド手段２１と、電力逆潮流検出装置１２が電力の逆潮流が生じたことを検出しているときに、上記計測期間Ｔａの間、計器用変成器１４が検出したＳＶＲの二次側電圧Ｖ2 の検出値をデジタル値に変換する第２のＡ／Ｄ変換器１８の出力を上記検出タイミングｔ1，ｔ2，…，ｔn で検出してホールドする第２のサンプルホールド手段２２とがマイクロプロセッサ２０により構成されている。
【００６１】
本実施形態では、計器用変圧器１３，１４と、一次側電圧検出回路１５及び二次側電圧検出回路１６と、第１のＡ／Ｄ変換器１７及び第２のＡ／Ｄ変換器１８と、第１のサンプルホールド手段２１及び第２のサンプルホールド手段２２とにより、ＳＶＲ２で電力の逆潮流が生じていることが検出されたときに、ＳＶＲ２がタップ切換を行う期間を含むように設定した一定の計測期間Ｔａの間ＳＶＲの一次側電圧及び二次側電圧をそれぞれ一定周期で発生する検出タイミングで検出する電圧検出装置２５が構成されている。
【００６２】
マイクロプロセッサ２０はまた、一次側電圧変化量演算手段２６と、二次側電圧変化量演算手段２７とを構成する。一次側電圧変化量演算手段２６は、各検出タイミングから次の検出タイミングまでの期間を単位期間Ｔoとして、各単位期間Ｔo の始点となる検出タイミング及び終点となる検出タイミングでそれぞれ検出された一次側電圧の検出値の差の絶対値（各単位期間Ｔoの間に生じた一次側電圧の変化量の絶対値）を各単位期間Ｔoで生じた一次側電圧変化量として演算する。また二次側電圧変化量演算手段２７は、各単位期間の始点となる検出タイミング及び終点となる検出タイミングでそれぞれ検出された二次側電圧の検出値の差の絶対値（各単位期間Ｔoの間に生じた二次側電圧の変化量の絶対値）を各単位期間Ｔoで生じた二次側電圧変化量として演算する。計測開始時からｘ番目（ｘ＝１，２，…，ｚ）の単位期間Ｔoで生じた一次電圧変化量をΔＶ１xとし、ｘ番目の単位期間で生じた二次電圧変化量をΔＶ２xとする。なお、ｚ＝ｎ−１である。
【００６３】
例えば、検出タイミングｔ1 からｔ2 までの１番目の単位期間Ｔo の間に生じた一次側電圧変化量ΔＶ11は、検出タイミングｔ1 で検出された一次側電圧Ｖ11と検出タイミングｔ2 で検出された一次側電圧Ｖ12との差の絶対値｜Ｖ11−Ｖ12｜を演算することにより求め、１番目の検出タイミングｔ1 からｔ2 までの単位期間Ｔo の間に生じた二次側電圧変化量は、検出タイミングｔ1 で検出された二次側電圧Ｖ21と検出タイミングｔ2 で検出された二次側電圧Ｖ22との差の絶対値｜Ｖ21−Ｖ22｜を演算することにより求める。本実施形態では、一次側電圧変化量演算手段２６と、二次側電圧変化量演算手段２７とにより電圧変化量演算手段２８が構成される。
【００６４】
マイクロプロセッサ２０は更に、一次側電圧変化量積算手段２９と、二次側電圧変化量積算手段３０と、電圧変化量差演算手段３２と、最大電圧変化量差抽出手段３４と、判定手段３５とを構成する。
【００６５】
一次側電圧変化量積算手段２９は、各単位期間Ｔoと各単位期間に続いて現れるｐ−１個（ｐは２以上の整数）の単位期間とを含む連続するｐ個の単位期間からなるｍ個の期間を積算期間Ｔi1，Ｔi2，…，Ｔim（ｍ＝１，２，…，ｎ−１）として、各積算期間に含まれるｐ個の単位期間Ｔoでそれぞれ生じたｐ個の一次側電圧変化量を積算して一次側電圧変化量積算値ΣΔＶ１y（ｙ＝１，２，…，ｍ）を演算するように構成される。また二次側電圧変化量積算手段３０は、上記各積算期間に含まれるｐ個の単位期間Ｔoでそれぞれ生じたｐ個の二次側電圧変化量を積算して二次側電圧変化量積算値ΣΔＶ２y（ｙ＝１，２，…，ｍ）を演算するようにするように構成される。計測期間Ｔａに含まれる単位期間Ｔoの数をｚ（＝ｎ−１）とすると、積算期間の数ｍは、ｍ＝ｚ−ｐ−１で与えられる。
【００６６】
本実施形態では、２０msecの間隔で、検出タイミングｔ1，ｔ2，…，ｔnを発生させる。従って、上記単位期間Ｔoの長さは２０msecである。また本実施形態では、ｐ＝１５に設定され、各積算期間Ｔi1，Ｔi2，…は３００msecに設定される。
【００６７】
電圧変化量差演算手段３２は、各積算期間で一次側電圧変化量の積算値ΣΔＶ１yと二次側電圧変化量の積算値ΣΔＶ２yとが演算される毎に、演算された一次側電圧変化量の積算値ΣΔＶ１yと二次側電圧変化量ΣΔＶ２yの積算値との差（ΣΔＶ１y−ΣΔＶ２y）を電圧変化量差ΔΣＶｉ（ｉ＝１，２，…，ｍ）として演算して、これらを記憶手段３３に記憶する。
【００６８】
計測期間Ｔａに含まれる単位期間Ｔoの数をｚ（＝ｎ−１）とし、各積算期間に含まれる単位期間の数をｐ＝１５とした場合、一次側電圧変化量積算値ΣΔＶ１1，ΣΔＶ１2，…，ΣΔＶ１mは、下記の［数１］に示された式により演算される。
【数１】
2013192378.tif 000003
【００６９】
また計測期間Ｔａに含まれる単位期間Ｔoの数をｚ（＝ｎ−１）とし、各積算期間に含まれる単位期間の数をｐ＝１５とした場合、二次側電圧変化量積算値ΣΔＶ２1，ΣΔＶ２2，…，ΣΔＶ２mは、下記の［数２］に示された式により演算される。
【数２】
2013192378.tif 000004
【００７０】
また電圧変化量差ΣＶ１，ΣＶ２，…，ΣＶｍは、下記の［数３］に示された式により演算される。
【数３】
2013192378.tif 000005
【００７１】
最大電圧変化量差抽出手段３４は、計測期間Ｔａの間に記憶手段３３に記憶された一連の電圧変化量差ΣＶ１，ΣＶ２，…，ΣＶｍの中から絶対値が最大の値をとる電圧変化量差を最大電圧変化量差ΣΔＶｉmaxとして抽出する。
【００７２】
判定手段３５は、最大電圧変化量差抽出手段３４により抽出された最大電圧変化量差ΣΔＶｉmaxの演算に用いられた一次側電圧変化量の積算値が最大電圧変化量差ΔＶｉmax の演算に用いられた二次側電圧変化量の積算値よりも大きいときにＳＶＲの一次側が系統の電源変電所から切り離されて二次側が他の系統の電源変電所に接続されたことに起因して電力の逆潮流が生じたと判定し、最大電圧変化量差ΔＶｉmaxの演算に用いられた一次側電圧変化量の積算値が最大電圧変化量差ΔＶｉmaxの演算に用いられ二次側電圧変化量の積算値よりも小さいときに自動電圧調整器の一次側が系統の電源に接続された状態で二次側に分散電源が連系したことに起因して電力の逆潮流が生じたと判定する。            
【００７３】
最大電圧変化量差ΣΔＶｉmaxの演算に用いられた一次側電圧変化量と二次側電圧変化量との大小関係は、最大電圧変化量差の符号から判別することができる。例えば、電圧変化量差演算処理において、一次側電圧変化量の積算値から二次側電圧変化量の積算値を減じることにより電圧変化量差を演算する場合には、最大電圧変化量差ΔＶｉmaxが正であるときに自動電圧調整器の一次側が系統の電源から切り離されて二次側が他の系統の電源に接続されたことに起因して電力の逆潮流が生じたと判定し、最大電圧変化量差ΔＶｉmaxが負であるときには、自動電圧調整器の一次側が系統の電源に接続された状態で二次側に分散電源が連系したことに起因して電力の逆潮流が生じたと判定することができる。
【００７４】
また、電圧変化量差演算処理において、二次側電圧変化量の積算値から一次側電圧変化量の積算値を減じることにより電圧変化量差を演算する場合には、最大電圧変化量差ΔＶｉmaxが負であるときに自動電圧調整器の一次側が系統の電源から切り離されて二次側が他の系統の電源に接続されたことに起因して電力の逆潮流が生じたと判定し、最大電圧変化量差ΔＶｉmaxが正であるときには、自動電圧調整器の一次側が系統の電源に接続された状態で二次側に分散電源が連系したことに起因して電力の逆潮流が生じたと判定することができる。
【００７５】
上記の実施形態では、各積算期間で一次側電圧変化量の積算値と二次側電圧変化量の積算値とが演算される毎に一次側電圧変化量の積算値と二次側電圧変化量の積算値との差を電圧変化量差として演算するようにしたが、各積算期間で演算された一次側電圧変化量の積算値と二次側電圧変化量の積算値とを記憶させておいて、計測期間Ｔａに含まれるすべての積算期間で一次側電圧変化量の積算値と二次側電圧変化量の積算値とを演算した後に、各積算期間で演算された一次側電圧変化量の積算値と二次側電圧変化量の積算値との差を演算するようにしても良い。
【産業上の利用可能性】
【００７６】
本発明は、太陽光発電設備や風力発電設備のような分散電源が連係する配電系統において、ＳＶＲで電力の逆潮流が生じたときに、その原因が系統切換にあるのか、分散電源の連係にあるのかを正確に特定できるため、ＳＶＲで電力の逆潮流が生じたときに、ＳＶＲの動作モードを系統の状態に適したモードに切換えるための情報を適確に得ることができる。従って、分散電源が連係する配電系統に設置されるＳＶＲに適用することにより、当該ＳＶＲの動作を適確に行わせて、系統の安定化に寄与することができる。
【符号の説明】
【００７７】
１  系統の電源変電所
２  ＳＶＲ
３  変電所の開閉器
４  一次側配電線
５  二次側配電線
６  他系統の配電線
７  他系統との間に設けられた開閉器
１０  変流器
１１  逆電力継電器
１２  電力逆潮流検出装置
１３  計器用変圧器
１４  計器用変圧器
１５  一次側電圧検出回路
１６  二次側電圧検出回路
１７  第１のＡ／Ｄ変換器
１８  第２のＡ／Ｄ変換器
１９  計測指令信号発生手段
２０  マイクロプロセッサ
２１  第１のサンプルホールド手段
２２  第２のサンプルホールド手段
２５  電圧検出装置
２６  一次側電圧変化量演算手段
２７  二次側電圧変化量演算手段
２８  電圧変化量演算手段
２９  一次側電圧変化量積算手段
３０  二次側電圧変化量積算手段
３１  電圧変化量積算手段
３２  電圧変化量差演算手段
３３  記憶手段
３４  最大変化量差抽出手段
３５  判定手段
【図１】
2013192378.tif 000006
【図２】
2013192378.tif 000007
【図３】
2013192378.tif 000008
【図４】
2013192378.tif 000009
【図５】
2013192378.tif 000010
【図６】
2013192378.tif 000011
【図７】
2013192378.tif 000012
【図８】
2013192378.tif 000013